(57)【要約】【課題】飛行体の胴体から切り離された翼が、胴体に接触することを確実に防ぐことができる翼離脱装置を提供することを課題とする。【解決手段】機体２に主翼３が取り付けられた航空機１の機体２から主翼３を切り離すための切り離し手段５Ａと、切り離し手段５Ａによって機体２から切り離された主翼３を、機体２から引き離すための引き離し手段である主翼３に設けた固体ロケット６とを備え、切り離し手段５Ａによって、主翼３を機体２から切り離し、この機体２から切り離した主翼３を、固体ロケット６によって、機体２からさらに引き離すことで、航空機１の機体２から切り離した主翼３が、機体２に接触することを確実に防ぐ。【選択図】図１
2011207406.tif 000002
【特許請求の範囲】
【請求項１】
胴体に翼が取り付けられた飛行体の前記胴体から前記翼を切り離すための切り離し手段と、
前記切り離し手段によって前記胴体から切り離された前記翼を、前記胴体から引き離すための引き離し手段と、
を備えたことを特徴とする翼離脱装置。
【請求項２】
前記引き離し手段は、前記翼に設けられたロケットであることを特徴とする請求項１に記載の翼離脱装置。
【発明の詳細な説明】
【技術分野】
【０００１】
本発明は、飛行体の胴体から翼を切り離すための翼離脱装置に関する。
【背景技術】
【０００２】
航空機において、衝突直前の姿勢制御時（プリクラッシュ時）に、主翼が地面や海面等の障害物に接触すると、機体の姿勢制御が困難になるおそれがある。従って、これを防止すべく、プリクラッシュ時に、機体から主翼を切り離すことが考えられる。
【０００３】
ここで、母機から目標物に向けて投下される誘導弾において、衝突時又はそれ以前に、誘導弾に設けられている展開翼を当該誘導弾から分離する技術が以下の特許文献１に開示されている。
【先行技術文献】
【特許文献】
【０００４】
【特許文献１】特開２０００−１１１２９８号公報
【発明の概要】
【発明が解決しようとする課題】
【０００５】
しかしながら、上記誘導弾の技術を航空機に適用しても、切り離された主翼が機体から充分に引き離されず、機体に接触してしまうおそれがある。このようなおそれは、主翼が大きい航空機ほど顕著となる。そして、そのような事態になると、プリクラッシュ時の機体の姿勢制御が困難になるおそれがある。
【０００６】
本発明は、このような課題を解決するために成されたものであり、飛行体の胴体から切り離された翼が、胴体に接触することを確実に防ぐことができる翼離脱装置を提供することを目的とする。
【課題を解決するための手段】
【０００７】
本発明に係る翼離脱装置は、胴体に翼が取り付けられた飛行体の胴体から翼を切り離すための切り離し手段と、切り離し手段によって胴体から切り離された翼を、胴体から引き離すための引き離し手段と、を備えたことを特徴としている。
【０００８】
このような翼離脱装置によれば、切り離し手段によって、翼が胴体から切り離され、この胴体から切り離された翼が、引き離し手段によって、胴体からさらに引き離されるため、飛行体の胴体から切り離された翼が、胴体に接触することを確実に防ぐことができる。
【０００９】
ここで、上記作用を好適に奏する引き離し手段としては、具体的には翼に設けられたロケットが挙げられる。このような手段が用いられることで、翼の重量が大きい場合であっても、胴体から切り離された翼を瞬時に胴体から確実に引き離すことが可能となる。
【発明の効果】
【００１０】
本発明によれば、飛行体の胴体から切り離された翼が、胴体に接触することを確実に防ぐことができる翼離脱装置を提供することが可能となる。
【図面の簡単な説明】
【００１１】
【図１】本発明の第１実施形態に係る翼離脱装置を機体及び主翼の一部と共に示す概略構成図である。
【図２】図１に示した翼離脱装置の動作説明図である。
【図３】図２に続く翼離脱装置の動作説明図である。
【図４】本発明の第２実施形態に係る翼離脱装置を機体及び主翼の一部と共に示す概略構成図である。
【発明を実施するための形態】
【００１２】
以下、添付図面を参照して本発明の実施形態を詳細に説明する。なお、図面の説明において同一の要素には同一の符号を付し、重複する説明を省略する。
【００１３】
図１は、本発明の第１実施形態に係る翼離脱装置を機体及び主翼の一部と共に示す概略構成図である。
【００１４】
本実施形態に係る翼離脱装置４Ａは、機体（胴体）２に主翼（翼）３が取り付けられた航空機（飛行体）１に搭載される装置である。この翼離脱装置４Ａは、切り離し手段５Ａと、引き離し手段である固体ロケット６とを備えて構成されている。
【００１５】
切り離し手段５Ａは、機体２から主翼３を切り離すために用いられるものであり、ここでは、主翼３を機体２に連結している複数の連結ボルト７を締め付けるための各ナットを、セパレーションナット８とすると共に、火薬駆動ピストン９を備えて構成されている。これらの構成要素は、機体２側に設けられている。
【００１６】
セパレーションナット８は、主にロケットの分野で用いられるナットであって、部品を連結することに加え、この連結を火薬の爆発を用いて瞬時に解除することができるナットである。このセパレーションナット８は、具体的には、円周方向に分割されて連結ボルト７に螺合する割りナットと、この割りナットを外周側から保持するホルダとで構成されている。そして、セパレーションナット８には火薬がセットされ、この火薬が爆発させられると、ホルダが軸方向にずれ、割りナットが飛散する構成となっている。
【００１７】
火薬駆動ピストン９は、シリンダ９ａと、シリンダ９ａ内に配置されたピストン９ｂとを備える。シリンダ９ａ及びピストン９ｂは、その中心軸が、主翼３の延在方向（連結ボルト７の軸線方向）に沿うように設けられ、先端が主翼３を向くように配置されている。このシリンダ９ａ内のピストン９ｂの裏面側の室９ｃには火薬がセットされており、室９ｃは燃焼室とされている。ピストン９ｂは、燃焼室９ｃでの火薬の爆発力によって駆動するピストンであり、その先端はシリンダ９ａから主翼３側へ突出すると共に機体２の外壁を貫通し、主翼３に接触するように構成されている。
【００１８】
固体ロケット６は、機体２から切り離された主翼３を、機体２から引き離すために用いられるものであり、主翼３側に設けられている。この固体ロケット６は、具体的には、推進剤として、燃料と酸化剤を均一に混ぜ合わせた固体燃料を使用する種のロケットであり、他に、ケース、ノズル及び点火器などを備えて構成され、ケースに充填された推進剤が点火器によって点火され燃焼することで、機体２から離れる推力を得る構造となっている。そして、この固体ロケット６は、機体２から切り離された主翼３が、主翼３の延在方向に沿って機体２から離れる方向へと飛ぶように推力を与える。
【００１９】
次に、本実施形態に係る翼離脱装置の作用及び効果について説明する。
【００２０】
図２は、図１に示した翼離脱装置の動作説明図である。まず、セパレーションナット８にセットされた火薬が点火され、爆発Ａが起こる。爆発Ａにより、割りナットが飛散し、連結ボルト７及びセパレーションナット８による締結が瞬時に解除される。そして、爆発Ａとほぼ同時に、燃焼室１１にセットされた火薬が点火され、爆発Ｂが起こる。
【００２１】
図３は、図２に続く翼離脱装置の動作説明図である。上記爆発Ｂによって、火薬駆動ピストン９が作動し、ピストン９ｂが機体２の外側へ向けて押し出される。そして、このピストン９ｂの動作によって主翼３が押し出されて機体２から切り離される。
【００２２】
そして、主翼３が機体２から切り離されるのとほぼ同時に、今度は、固体ロケット６のケースに充填された推進剤が点火され、燃焼Ｃが起こる。この燃焼Ｃが起こると、瞬時に固体ロケット６に強力な推力が発生し、この推力によって、機体２から切り離された主翼３が、機体２から引き離される。
【００２３】
このように、本実施形態に係る翼離脱装置によれば、切り離し手段５Ａによって、主翼３が機体２から切り離され、この機体２から切り離された主翼３が、固体ロケット６によって、機体２からさらに引き離されるため、航空機１の機体２から切り離された主翼３が、機体２に接触することを確実に防ぐことができる。
【００２４】
また、引き離し手段として固体ロケット６を用いているため、主翼３の重量が大きい場合であっても、機体２から切り離された主翼３を瞬時に機体２から確実に引き離すことができる。
【００２５】
次に、本発明の第２実施形態に係る翼離脱装置について説明する。
【００２６】
図４は、本発明の第２実施形態に係る翼離脱装置を機体及び主翼の一部と共に示す概略構成図である。
【００２７】
本実施形態に係る翼離脱装置４Ｂが第１実施形態に係る翼離脱装置４Ａと違う点は、切り離し手段５Ａに代えて、機体２側の火薬駆動ピストン９を主翼３側に設けて火薬駆動ピストン９ｘとし、これとセパレーションナット８により構成した切り離し手段５Ｂを用いた点である。
【００２８】
このような構成によれば、ピストン９ｂによる押し出しを、主翼３側から行う点以外は第１実施形態に係る翼離脱装置４Ａと同様であり、第１実施形態に係る翼離脱装置４Ａと同様な効果が得られるということはいうまでもない。
【００２９】
なお、上述した実施形態は、本発明に係る翼離脱装置の一例を示したものである。このため、本発明に係る翼離脱装置は、このようなものに限られるものではない。例えば、特開２０００−１１１２９８に記載の誘導弾のような飛行体にも、本発明は適用可能である。
【符号の説明】
【００３０】
１…航空機（飛行体）、２…機体（胴体）、３…主翼（翼）、４Ａ，４Ｂ…翼離脱装置、５Ａ，５Ｂ…切り離し手段、６…固体ロケット（引き離し手段）。
【図１】
2011207406.tif 000003
【図２】
2011207406.tif 000004
【図３】
2011207406.tif 000005
【図４】
2011207406.tif 000006